(57)【要約】【課題】被処理水中のリン成分を除去するにあたって、ランニングコストが安くなり、リン成分の除去のために使用した資材も安価なコストで廃棄処理できるようにする。【解決手段】好気処理槽Ｂを備えた浄化槽であって、黒ボク土又は炭化物に、Ｅｍｐｅｄｏｂａｃｔｅｒ属細菌及び／又はその培養物を固定してある成形体７を、被処理水に接触自在に、好気処理槽内に設置してある。【選択図】図１
2009119434.tif 000002
【特許請求の範囲】
【請求項１】
好気処理槽を備えた浄化槽であって、
黒ボク土又は炭化物に、Ｅｍｐｅｄｏｂａｃｔｅｒ属細菌及び／又はその培養物を固定してある成形体を、被処理水に接触自在に、前記好気処理槽内に設置してある浄化槽。
【請求項２】
好気処理槽を備えた浄化槽であって、
黒ボク土及び炭化物に、Ｅｍｐｅｄｏｂａｃｔｅｒ属細菌及び／又はその培養物を固定してある成形体を、被処理水に接触自在に、前記好気処理槽内に設置してある浄化槽。
【請求項３】
前記Ｅｍｐｅｄｏｂａｃｔｅｒ属細菌として、ＳＩＩＤ２９２６−１ｂ株（ＦＥＲＭ
ＢＰ−１０３６０）を含むものである請求項１又は２記載の浄化槽。
【請求項４】
前記好気処理槽が担体流動槽である請求項１〜３のいずれか１項記載の浄化槽。
【請求項５】
前記好気処理槽の上流側に嫌気濾床槽を備え、前記好気処理槽は複数備えられ、前記好気処理槽の前段側の汚泥を前記嫌気濾床槽へ返送する汚泥返送装置を設け、前記好気処理槽の後段側の槽に前記成形体を設けてある請求項１〜４のいずれか１項記載の浄化槽。
【発明の詳細な説明】
【技術分野】
【０００１】
本発明は、好気処理槽を備えた浄化槽に関する。
【背景技術】
【０００２】
従来の浄化槽では、被処理水中のリン成分を除去するために、一対の鉄板電極を好気処理槽の被処理水中に浸漬して、その一対の鉄板電極間に通電することにより被処理水中に鉄イオンを供給し、鉄イオンとリン成分とを反応させて生成した難溶性のリン酸鉄を沈殿させることが行われている（例えば、特許文献１参照）。
【０００３】
【特許文献１】特開２００５−１１８７１１号公報
【発明の開示】
【発明が解決しようとする課題】
【０００４】
このため、鉄イオンの供給能力を維持できるように、電極に堆積した汚泥を除去する必要があるとともに、通電のための電気料金も必要で、ランニングコストが高くつく欠点がある。
また、消耗した使用済みの廃電極を産業廃棄物として処理する必要があり、その廃棄処理に伴うコストが高くつく欠点がある。
本発明は上記実情に鑑みてなされたものであって、被処理水中のリン成分を除去するにあたって、ランニングコストが安くなり、リン成分の除去のために使用した資材も安価なコストで廃棄処理できるようにすることを目的とする。
【課題を解決するための手段】
【０００５】
本発明の第１特徴構成は、好気処理槽を備えた浄化槽であって、黒ボク土又は炭化物に、Ｅｍｐｅｄｏｂａｃｔｅｒ属細菌及び／又はその培養物を固定してある成形体を、被処理水に接触自在に、前記好気処理槽内に設置してある点にある。
【０００６】
〔作用及び効果〕
被処理水中のリン成分を除去するにあたって、リン吸着材として知られている黒ボク土又は炭化物に、Ｅｍｐｅｄｏｂａｃｔｅｒ属細菌及び／又はその培養物を固定してある成形体を、被処理水に接触自在に、好気処理槽内に設置してあるので、単に黒ボク土のみからなる成形体や、炭化物のみからなる成形体を好気処理槽内に設置してある場合に比べて、リン成分の除去能力を大幅に高めることができる。
そして、電気を特に使用せずにリン成分の除去ができるので、ランニングコストが安くなり、また、使用済みの成形体は、産業廃棄物ではなく、土壌改良材などとして活用することもできるので、安価なコストで廃棄処理できる。
【０００７】
本発明の第２特徴構成は、好気処理槽を備えた浄化槽であって、黒ボク土及び炭化物に、Ｅｍｐｅｄｏｂａｃｔｅｒ属細菌及び／又はその培養物を固定してある成形体を、被処理水に接触自在に、前記好気処理槽内に設置してある点にある。
【０００８】
〔作用及び効果〕
被処理水中のリン成分を除去するにあたって、リン吸着材として知られている黒ボク土及び炭化物に、Ｅｍｐｅｄｏｂａｃｔｅｒ属細菌及び／又はその培養物を固定してある成形体を、被処理水に接触自在に、好気処理槽内に設置してあるので、黒ボク土のリン除去性能と、炭化物の菌保持性能とが相まって、単に黒ボク土や炭化物のみからなる成形体を設置してある場合に比べて、リン成分の除去能力を大幅に高めることができる。
【０００９】
本発明の第３特徴構成は、前記Ｅｍｐｅｄｏｂａｃｔｅｒ属細菌として、ＳＩＩＤ２９２６−１ｂ株（ＦＥＲＭ  ＢＰ−１０３６０）を含むものである点にある。
【００１０】
〔作用及び効果〕
Ｅｍｐｅｄｏｂａｃｔｅｒ属細菌として、ＳＩＩＤ２９２６−１ｂ株（ＦＥＲＭ  ＢＰ−１０３６０）を含むので、被処理水のＣＯＤ，ＢＯＤ及び浮遊物質を顕著に低減することができる。
【００１１】
本発明の第４特徴構成は、前記好気処理槽が担体流動槽である点にある。
【００１２】
〔作用及び効果〕
成形体を設置してある好気処理槽が担体流動槽であるので、流動している担体との接触により、成形体に付着した汚泥などを除去することができ、成形体による水処理能力を維持し、ランニングコストを一層安くすることができる。
【００１３】
本発明の第５特徴構成は、前記好気処理槽の上流側に嫌気濾床槽を備え、前記好気処理槽は複数備えられ、前記好気処理槽の前段側の汚泥を前記嫌気濾床槽へ返送する汚泥返送装置を設け、前記好気処理槽の後段側の槽に前記成形体を設けてある点にある。
【００１４】
〔作用及び効果〕
前段の好気処理槽の好気条件下では、汚水中の有機物はＢＯＤ酸化菌によって酸化分解や吸着作用を受けて処理され、また窒素化合物は硝化菌によって亜硝酸、硝酸に酸化される。この前段の好気処理槽の汚泥を汚泥返送装置により嫌気濾床槽と循環させることで嫌気濾床槽の脱窒菌により好気処理槽での硝化工程で生成された亜硝酸、硝酸を窒素ガスに還元して窒素成分を除去できる。
後段の好気処理槽では、前段の好気処理槽でＢＯＤ、窒素や浮遊物質を低減された被処理水を黒ボク土及び／又は炭化物にＥｍｐｅｄｏｂａｃｔｅｒ属細菌を固定した成形体で水処理するので、ＢＯＤ酸化菌や脱窒菌の働きに阻害されることなくリン除去菌を有効に働かせることができ、効率的にリン成分を除去することができる。
【発明を実施するための最良の形態】
【００１５】
以下に本発明の実施の形態を図面に基づいて説明する。
〔第１実施形態〕
図１，図２は、生活排水（汚水）を被処理水として浄化処理するための本発明による多室槽からなる浄化槽を示し、マンホール２などを備えた樹脂製外槽１の内部を、被処理水を嫌気処理する嫌気処理槽Ａと、嫌気処理槽Ａで嫌気処理した被処理水を好気処理する好気処理槽Ｂと、好気処理槽Ｂで好気処理した被処理水中の懸濁物を沈殿除去する沈殿槽Ｃとに区画してある。
【００１６】
前記嫌気処理槽Ａは、被処理水が流入口４を通して外部から流入する嫌気濾床槽第１室Ａ１と、嫌気濾床槽第１室Ａ１で嫌気処理された被処理水が仕切り壁１３の上部からオーバーフローで移流する嫌気濾床槽第２室Ａ２とで構成してあり、被処理水中の有機物を嫌気分解する嫌気性微生物の生物膜を定着させる嫌気濾床３ａ，３ｂを夫々備えている。
【００１７】
前記嫌気濾床槽第２室Ａ２は流量調整槽としての機能を備え、嫌気濾床槽第２室Ａ２の被処理水を略一定流量で、配管９を通して好気処理槽Ｂに移送する定容量式の第１エアリフトポンプ１０を設けてある。
【００１８】
前記好気処理槽Ｂは、好気性微生物を担持させた状態で、被処理水とともに流動可能に形成してある多数の担体５を収容してあり、ばっ気用散気管６から吹き込んだ空気で被処理水をばっ気攪拌することにより、担体５の表面に付着生成している生物膜に被処理水を繰り返し接触させて、被処理水中の有機物の分解除去や窒素化合物の酸化を行う担体流動槽で構成してある。
【００１９】
前記好気処理槽Ｂには、黒ボク土又は炭化物に、ＳＩＩＤ２９２６−１ｂ株（ＦＥＲＭ  ＢＰ−１０３６０）を含むＥｍｐｅｄｏｂａｃｔｅｒ属細菌及び／又はその培養物を固定してある矩形板状の成形体７の複数を、板面を上下方向に沿わせた姿勢で互いに間隔を隔てて、被処理水に接触自在に設置してある。
【００２０】
尚、上記成形体７に代えて、黒ボク土及び炭化物に、ＳＩＩＤ２９２６−１ｂ株（ＦＥＲＭ  ＢＰ−１０３６０）を含むＥｍｐｅｄｏｂａｃｔｅｒ属細菌及び／又はその培養物を固定してある矩形板状の成形体７の複数を、板面を上下方向に沿わせた姿勢で互いに間隔を隔てて、被処理水に接触自在に設置してあっても良い。
【００２１】
前記沈殿槽Ｃは、好気処理槽Ｂで好気処理された被処理水を、好気処理槽Ｂと沈殿槽Ｃとを仕切る仕切り壁１４の下部を通して移流させるように構成してあり、沈殿槽Ｃの底部に沈殿させた固形分を第２エアリフトポンプ１１で返送管１５を通して嫌気処理槽Ａに返送する返送装置１２を設けてある。
【００２２】
〔第２実施形態〕
図３，図４は、生活排水（汚水）を被処理水として浄化処理するための本発明による多室槽からなる浄化槽を示し、マンホール２などを備えた樹脂製外槽１の内部を、被処理水を嫌気処理する嫌気処理槽Ａと、嫌気処理槽Ａで嫌気処理した被処理水を好気処理する好気処理槽Ｂと、好気処理槽Ｂで好気処理した被処理水中の懸濁物を沈殿除去する沈殿槽Ｃとに区画してある。
【００２３】
前記嫌気処理槽Ａは、嫌気濾床槽第１室Ａ１と嫌気濾床槽第２室Ａ２とから成り、被処理水中の有機物を嫌気分解する嫌気性微生物の生物膜を定着させる嫌気濾床３ａ，３ｂを夫々設置してある。
【００２４】
前記嫌気濾床槽第１室Ａ１は、流入口４から流入させた被処理水中の粗大浮遊物を除去するとともに夾雑物を沈殿分離させながら嫌気分解処理を行い、嫌気濾床槽第２室Ａ２は、嫌気濾床槽第１室Ａ１からオーバーフローで自然流入した被処理水の嫌気分解処理を行う。
【００２５】
前記好気処理槽Ｂは、嫌気濾床槽第２室Ａ２で嫌気処理した被処理水をオーバーフローで自然流入させる第１担体流動槽Ｂ１と、第１担体流動槽Ｂ１で好気処理した被処理水をオーバーフローで自然流入させる第２担体流動槽Ｂ２とに区画してある。
【００２６】
前記第１担体流動槽Ｂ１と第２担体流動槽Ｂ２の夫々には、好気性微生物を担持させた状態で、被処理水とともに流動可能に形成してある多数の担体５を収容してあり、ばっ気用散気管６ａ，６ｂから吹き込んだ空気で被処理水をばっ気攪拌することにより、担体５の表面に付着生成している生物膜に被処理水を繰り返し接触させて、被処理水中の有機物の分解除去や窒素化合物の酸化などの好気処理を行えるように構成してある。
【００２７】
前記第２担体流動槽Ｂ２には、黒ボク土又は炭化物に、ＳＩＩＤ２９２６−１ｂ株（ＦＥＲＭ  ＢＰ−１０３６０）を含むＥｍｐｅｄｏｂａｃｔｅｒ属細菌及び／又はその培養物を固定してある矩形板状の成形体７の複数を、板面を上下方向に沿わせた姿勢で互いに間隔を隔てて、被処理水に接触自在に設置してある。
【００２８】
尚、上記成形体７に代えて、黒ボク土及び炭化物に、ＳＩＩＤ２９２６−１ｂ株（ＦＥＲＭ  ＢＰ−１０３６０）を含むＥｍｐｅｄｏｂａｃｔｅｒ属細菌及び／又はその培養物を固定してある矩形板状の成形体７の複数を、板面を上下方向に沿わせた姿勢で互いに間隔を隔てて、被処理水に接触自在に設置してあっても良い。
【００２９】
また、第１担体流動槽Ｂ１と第２担体流動槽Ｂ２には、嫌気濾床槽第１室Ａ１に汚泥を返送するためのエアリフトポンプを備えた汚泥返送管１６ａ，１６ｂからなる汚泥返送装置１７を設けてあり、第１担体流動槽Ｂ１の被処理水を嫌気濾床槽Ａ１，Ａ２と循環させて硝化脱窒処理を行うことで、第１担体流動槽Ｂ１ではＢＯＤと窒素の除去を、第２担体流動槽Ｂ２では主にリン成分の除去を行うように構成してある。
【００３０】
この時、第１担体流動槽Ｂ１から嫌気濾床槽第１室Ａ１への返送量は硝化脱窒処理を効率的に行うために３Ｑ〜４Ｑ（Ｑは浄化槽への日平均流入量）が好ましい。第２担体流動槽Ｂ２から嫌気濾床槽第１室Ａ１への返送量はリン除去分の汚泥を嫌気濾床槽Ａ１に溜めるものなので１Ｑ程度でよい。
【００３１】
ＢＯＤ酸化菌、硝化菌、リン分解菌等の微生物は、汚水の処理時間や環境条件によって優先度が変化するため、これらの菌が混在している場合、それぞれの菌体の能力が発揮できない場合があるが、本実施形態では、好気処理槽Ｂを複数に区画し、菌体の棲み分けを図ることで、それぞれの菌体を有効に働かせて汚水処理能力を高めるように構成している。
また、好気処理槽Ｂで処理された汚泥を嫌気処理槽Ａ１に返送して蓄積することで、好気処理槽Ｂ内の微生物の処理環境をより良くでき、好気処理槽Ｂの処理効率を高めることができる。
【００３２】
前記沈殿槽Ｃは消毒槽Ｄを備え、第２担体流動槽Ｂ２で好気処理された被処理水を、好気処理槽Ｂと沈殿槽Ｃとを仕切る仕切り壁１４の下部で連通させて懸濁物を沈殿除去するとともに、その被処理水をオーバーフローで消毒槽Ｄに流入させて消毒処理した後、放流口８から外部に放流できるように構成してある。
【００３３】
〔第３実施形態〕
図５は、本発明による浄化槽の別実施形態を示し、成形体７、散気装置１８および消毒槽Ｄを備えたリン除去槽Ｅを、消毒機能を停止させた既存の浄化槽Ｆの後段に設置した構成としても良い。
既存の浄化槽Ｆの消毒機能を停止するには、消毒筒や消毒槽の構成部材を取り外すことで行う。このように既存浄化槽Ｆの後段にリン除去槽Ｅを設けることで、容易に浄化槽の生物処理性能を高めることができる。
【００３４】
また、本実施形態のように、リン除去槽Ｅの水位は、浄化槽Ｆの最下流槽の水位と一致するように構成されることが望ましい。図５では、消毒槽Ｄに設けた越流堰１９の移流高さが接続管２０の管底よりも上部に設けられ、沈殿槽Ｃおよびリン除去槽Ｅの水位が一致するようにされている。これにより、リン除去槽Ｅ内で好気処理及びリン除去により発生する汚泥は、散気管１８による被処理水の巻き上げによって、接続管２０を通して浄化槽Ｆの沈殿槽Ｃに移流し、返送装置１２によって好気処理槽Ｂ及び沈殿槽Ｃの汚泥と共に嫌気槽Ａ１に返送されることになる。このため、リン除去槽Ｅに汚泥返送装置を設けることなくリン成分を含んだ汚泥を嫌気濾床槽に返送、貯留することができ、また、リン除去槽Ｅに余分な汚泥がなくなるので、生物処理性能を高めることができる。
その他の構成は第１実施形態と同様である。
【００３５】
〔その他の実施形態〕
１．本発明による浄化槽は、接触ばっ気槽や担体流動槽，生物濾過槽などのばっ気槽において、成形体を被処理水中の上部に漬かるように設置してあっても良い。
２．本発明による浄化槽は、円筒形や粒状に成形してある成形体を設置してあっても良い。
３．本発明による浄化槽は、多数の開口をスリット状に形成してある容器やネットなどの網状体で形成した容器に成形体を充填して好気処理槽内に設置してあっても良い。
４．本発明による浄化槽は、円筒形や粒状に成形してある成形体を流動可能にしてあっても良い。
５．本発明による浄化槽は、接触ばっ気槽の接触濾材として成形体を設置してあっても良い。
【図面の簡単な説明】
【００３６】
【図１】浄化槽の内部を示す平面図
【図２】浄化槽の内部を示す側面図
【図３】第２実施形態の浄化槽の内部を示す平面図
【図４】第２実施形態の浄化槽の内部を示す側面図
【図５】第３実施形態の浄化槽の内部を示す側面図
【符号の説明】
【００３７】
７  成形体
１７  汚泥返送装置
Ａ１  嫌気濾床槽
Ｂ  好気処理槽
Ｂ１  好気処理槽の前段側の槽
Ｂ２  好気処理槽の後段側の槽
【図１】
2009119434.tif 000003
【図２】
2009119434.tif 000004
【図３】
2009119434.tif 000005
【図４】
2009119434.tif 000006
【図５】
2009119434.tif 000007